(57)【要約】【課題】無線基地局装置からネットワーク制御装置への上りトラフィックの集中を緩和して良好にデータを伝送することのできる無線通信システムを提供する。【解決手段】受信フォーマット識別情報取得部２２は、上り制御データから上り受信データのフォーマット識別情報を取得する。受信データ復号処理部２１は、フォーマット識別情報を用いて上り受信データを復号し、フレーム組み立て部２４が、そのデータをフレーム化する。トラフィック量算出部２７は、フォーマット識別情報を用いて、フレーム組み立て部２４で生成されるフレームのトラフィック量を算出する。フレームバッファ部２５は、生成されたフレームを保持し、フレーム送信制御部２６は、フレームバッファ部２５のフレームをネットワーク制御装置１５に送る。帯域制御部２９は、トラフィック量算出部２７で算出されたトラフィック量を用いてフレーム送信制御部２６の送信帯域を制御する。【選択図】図２
2007235932.tif 000002
【特許請求の範囲】
【請求項１】
無線通信システムにおいてネットワーク制御装置の制御配下に置かれる無線基地局装置であって、
受信した上り制御データから、上り受信データのフォーマットを示すフォーマット識別情報を取得する受信フォーマット識別情報取得部と、
前記受信フォーマット識別情報取得部で取得された前記フォーマット識別情報を用いて前記上り受信データを復号する受信データ復号処理部と、
前記受信データ復号処理部で復号された上り受信データをフレーム化するフレーム組み立て部と、
前記受信フォーマット識別情報取得部で取得された前記フォーマット識別情報を用いて前記受信データのフォーマットを判断し、該フォーマットから、前記フレーム組み立て部で生成されるフレームのトラフィック量を算出するトラフィック量算出部と、
前記フレーム組み立て部で生成されたフレームを保持するフレームバッファ部と、
前記フレームバッファ部に保持された前記フレームを前記ネットワーク制御装置に送信するフレーム送信制御部と、
前記トラフィック量算出部で算出されたトラフィック量を用いて、前記フレーム送信制御部の送信帯域を制御する帯域制御部と、を有する無線基地局装置。
【請求項２】
復号パラメータを予め格納している復号パラメータ格納部を更に有しており、
前記受信フォーマット識別情報は、前記上り制御データのＴＦＣＩから算出されるＴＦＩ値であり、
前記復号パラメータ格納部は、トランスポートチャネル数と、前記ＴＦＩ値に対するトランスポートブロックサイズおよびトランスポートブロック数とを前記復号パラメータとして格納し、
前記トラフィック量算出部は、前記受信フォーマット識別情報取得部で取得されたＴＦＩ値と、前記復号パラメータ格納部に格納されている、前記トランスポートチャネル数と該ＴＦＩ値に対するトランスポートブロックサイズおよびトランスポートブロック数とから、前記フレーム組み立て部で生成されるフレームの単位時間当たりのトラフィック量を算出し、
前記帯域制御部は、前記トラフィック量算出部で算出された前記単位時間当たりのトラフィック量を用いて前記フレーム送信制御部の送信帯域を制御する、請求項１に記載の無線基地局装置。
【請求項３】
前記帯域制御部は、前記フレームバッファ部におけるデータ保持の状況を、前記フレーム送信制御部の送信帯域の制御に更に用いる、請求項１または２に記載の無線基地局装置。
【請求項４】
サービスベアラ毎にデータ導通の優先度が定められており、
前記フレームバッファ部は、フレーム組み立て部で生成されフレームを優先度毎に保持し、優先度毎のフレームを送信する順序を決めるための送信順序パラメータを生成して前記フレーム送信制御部に通知し、
前記フレーム送信制御部は、送信フレーム全体では、前記帯域制御部からの送信帯域制御の指示に従い、かつ、優先度単位では、前記フレームバッファ部から通知された送信順序パラメータに基づいて決定した各優先度の順序に従って、前記フレームバッファ部に格納されている各優先度のフレームを送信する、請求項１から３のいずれか１項に記載の無線基地局装置。
【請求項５】
前記フレームバッファ部は、
前記フレーム組み立て部で組み立てられたフレームを優先度に応じて分配する優先度フレーム分配制御部と、
前記優先度フレーム分配制御部によって振り分けられた各優先度のフレームをそれぞれに格納する複数の優先度フレームバッファと、
各優先度の重み付けとフレームのトラフィック状態とを考慮したデータ導通の優先の度合いを示す優先制御値を前記送信順序パラメータとして生成する送信順序パラメータ生成部と、を有する、請求項４に記載の無線基地局装置。
【請求項６】
前記送信順序パラメータ生成部は、各優先度の重み付けを示す重み係数と、各優先度の前記優先度フレームバッファ部に保持するデータ量の閾値と、各優先度の前記優先度フレームバッファ部に保持されているデータ量とから各優先度の前記優先制御値を算出する、請求項５に記載の無線基地局装置。
【請求項７】
前記フレーム送信制御部は、各優先度の優先制御値から該優先制御値の各々の割合を算出し、各優先度のフレームが前記割合となるようにフレームを送信する順序を決定する、請求項６に記載の無線基地局装置。
【請求項８】
前記ネットワーク制御装置から通知される、サービスベアラ毎の帯域値を格納するサービスベアラパラメータ格納部を更に有しており、
前記帯域制御部は、前記サービスベアラパラメータ格納部に格納されている前記サービスベアラ毎の帯域値から求まる最大帯域を越えない範囲で、前記フレーム送信制御部の送信帯域を制御する、請求項１から７のいずれか１項に記載の無線基地局装置。
【請求項９】
請求項８に記載された無線基地局装置と、
前記無線基地局装置に前記サービスベアラ毎の帯域値を通知するネットワーク制御装置と、を有する無線通信システム。
【請求項１０】
ネットワーク制御装置の制御配下に無線基地局装置が置かれた構成を有し、前記無線基地局装置にて上り受信データを復号し、さらにフレーム化をして前記ネットワーク制御装置に送信する、無線通信システムにおけるトラフィック制御方法であって、
前記無線基地局装置において、受信した上り制御データから、上り受信データのフォーマットを示すフォーマット識別情報を取得するステップと、
取得された前記フォーマット識別情報を用いて前記受信データのフォーマットを判断し、該フォーマットから、前記フレーム化により生成されるフレームのトラフィック量を算出するステップと、
算出された前記トラフィック量を用いて、前記無線基地局装置から前記ネットワーク制御装置への送信帯域を制御するステップと、を有するトラフィック制御方法。
【請求項１１】
前記受信フォーマット識別情報は、前記上り制御データのＴＦＣＩから算出されるＴＦＩ値であり、
前記無線基地局装置にて、トランスポートチャネル数と、前記ＴＦＩ値に対するトランスポートブロックサイズおよびトランスポートブロック数とを復号パラメータとして予め格納しており、
前記受信フォーマット識別情報として取得されたＴＦＩ値と、予め格納されている、前記トランスポートチャネル数と該ＴＦＩ値に対するトランスポートブロックサイズおよびトランスポートブロック数とから、前記フレーム化で生成されるフレームの単位時間当たりのトラフィック量を算出し、
算出された前記単位時間当たりのトラフィック量を用いて前記送信帯域を制御する、請求項１０に記載のトラフィック制御方法。
【請求項１２】
前記フレーム化で生成されたフレームの前記無線基地局装置での保持の状況を前記送信帯域の制御に更に用いる、請求項１０または１１に記載のトラフィック制御方法。
【請求項１３】
サービスベアラ毎にデータ導通の優先度が定められており、
前記無線基地局装置にて、
フレーム化により生成したフレームを優先度毎に保持し、
優先度毎のフレームを送信する順序を決めるための送信順序パラメータを生成し、
送信フレーム全体で送信帯域を制御するとき、それとともに優先度単位では、前記送信順序パラメータに基づいて決定した各優先度の順序に従って、各優先度のフレームを前記ネットワーク制御装置に送信する、請求項１０から１２のいずれか１項に記載のトラフィック制御方法。
【請求項１４】
各優先度の重み付けとフレームのトラフィック状態とを考慮したデータ導通の優先の度合いを示す優先制御値を前記送信順序パラメータとして生成する、請求項１３に記載のトラフィック制御方法。
【請求項１５】
各優先度の重み付けを示す重み係数と、各優先度のフレームを保持するデータ量の閾値と、各優先度のフレームを保持しているデータ量とから、各優先度の前記優先制御値を算出する、請求項１４に記載のトラフィック制御方法。
【請求項１６】
各優先度の前記優先制御値から該優先制御値の各々の割合を算出し、
各優先度のフレームが前記割合となるようにフレームを送信する順序を決定する、請求項１５に記載のトラフィック制御方法。
【請求項１７】
前記ネットワーク制御装置から前記無線基地局装置へサービスベアラ毎の帯域値を通知し、
前記無線基地局装置にて、前記ネットワーク制御装置から通知された前記サービスベアラ毎の帯域値を格納し、
格納されている前記サービスベアラ毎の帯域値から求まる最大帯域を越えない範囲で前記送信帯域を制御する、請求項１０から１６のいずれか１項に記載のトラフィック制御方法。
【発明の詳細な説明】
【技術分野】
【０００１】
本発明は、ネットワーク制御装置と無線基地局装置の間をイーサネット（登録商標）伝送路で接続する無線通信システムに関する。
【背景技術】
【０００２】
様々なサービスベアラを扱う移動通信システムに代表されるような無線通信システムにおいて、無線基地局装置とその上位に当たるネットワーク制御装置との間をイーサネット伝送路で接続することが行われている。また、無線基地局装置とネットワーク制御装置の間のイーサネット伝送路にレイヤ２スイッチが配置されることがある。
【０００３】
この種の無線通信システムでは、一般に、１つのネットワーク制御装置に複数の無線基地局装置が接続される。また、無線基地局装置の構成として、上り受信データを復号してＥｔｈｅｒフレームに乗せ、ネットワーク制御装置に送信する機能を備えたベースバンド復号処理部を複数有する構成も考えられる。そのような場合、複数のベースバンド復号処理部の各々がネットワーク制御装置にＥｔｈｅｒフレームを送信することとなる。
【０００４】
図１０は、従来の無線基地局装置の構成を示すブロック図である。図１０には、無線基地局装置の構成の中でベースバンド復号処理部のみを示してある。図１０を参照すると、従来の無線基地局装置のベースバンド復号処理部９０は、複数の受信データ復号処理部９１、複数の受信ＴＦＩ値算出部９２、復号パラメータ部９３、Ｅｔｈｅｒフレーム組み立て部９４、Ｅｔｈｅｒフレームバッファ部９５、およびＥｔｈｅｒフレーム送信制御部９６を有している。
【０００５】
受信データ復号部９１は、個別物理データチャネル（ＤＰＤＣＨ）の上り受信データを、受信ＴＦＩ値算出部９２から通知されたＴＦＩ（Ｔｒａｎｓｐｏｒｔ  Ｆｏｒｍａｔ  Ｉｄｅｎｔｉｆｉｃａｔｉｏｎ）値を用いて、トランスポートチャネル毎に復号する。ＴＦＩ値は、ＤＰＤＣＨの上り受信データのフォーマットに関する情報である。
【０００６】
受信ＴＦＩ値算出部９２は、個別物理制御チャネル（ＤＰＣＣＨ）の上り受信制御データに含まれているＴＦＣＩ（Ｔｒａｎｓｐｏｒｔ−Ｆｏｒｍａｔ−Ｃｏｍｂｉｎａｔｉｏｎ  Ｉｎｄｉｃａｔｏｒ）からＴＦＩ値を算出し、受信データ復号処理部９１に通知する。
【０００７】
復号パラメータ部９３は、受信データ復号処理部９１による処理および受信ＴＦＩ値算出部９２による処理に用いられる復号パラメータを格納している。復号パラメータには、受信ＴＦＩ値で示されるデータフォーマットにおけるトランスポートブロックの数とサイズを示す値が含まれている。
【０００８】
Ｅｔｈｅｒフレーム組み立て部９４は、各受信データ復号処理部９１からの上りデータをＥｔｈｅｒフレーム化する。
【０００９】
Ｅｔｈｅｒフレームバッファ部９５は、Ｅｔｈｅｒフレーム組み立て部９４で組み立てられたＥｔｈｅｒフレームを格納する。
【００１０】
Ｅｔｈｅｒフレーム送信制御部９６は、Ｅｔｈｅｒフレームバッファ部９５に格納されているＥｔｈｅｒフレームを、イーサネット伝送路によって接続されているレイヤ２スイッチに送信する。
【００１１】
このような構成の無線基地局装置を有する無線通信システムでは、レイヤ２スイッチやネットワーク制御装置の伝送路インタフェース機能部に、複数のベースバンド復号処理部からの上りトラフィックが集中する。
【００１２】
例えば、１００ＢＡＳＥのイーサネット伝送路が用いられていれば、ベースバンド復号処理部９０は、１００ＢＡＳＥの許容帯域内でネットワーク制御装置にＥｔｈｅｒフレームを送信する。複数の受信データ復号処理部９１の復号タイミングが重なって同時に複数の送信データが発生すれば、ベースバンド復号処理部９０は、ある単位時間内において瞬間的に１００Ｍｂｐｓの帯域でデータを送信することがある。さらに、複数のベースバンド復号処理部９０が同時に１００Ｍｂｐｓの帯域でデータを送信すれば、ネットワーク制御装置の伝送路インタフェース機能部あるいはレイヤ２スイッチではバッファがオーバーフローし、Ｅｔｈｅｒーフレームが廃棄される。
【００１３】
この例のように、上りトラフィックが集中するレイヤ２スイッチやネットワーク制御装置の伝送路インタフェース機能部では、上りトラフィック量や、割り当てられるサービスベアラ、ベースバンド復号処理部９０の構成数に依存してＥｔｈｅｒフレームの滞留が発生する。そして、その結果としてバッファがオーバーフローし、Ｅｔｈｅｒフレームが廃棄されることがあった。
【００１４】
このようなバッファのオーバーフローの対策として、ＡＴＭセル多重装置の分野では、送信帯域を制御する技術が提案されている（例えば、特許文献１）。特許文献１によれば、受信フレームのトラフィック流量を測定し、セルレートが所定の閾値を超えないようにフレームをセル化して送信している。
【特許文献１】特開２０００−２６９９７０号公報（段落００２９）
【発明の開示】
【発明が解決しようとする課題】
【００１５】
しかしながら、上述したような無線通信システムでは、様々に特性の異なるサービスベアラがあり、またＤＰＤＣＨの上り受信データは符号化された状態で受信されるので、上り受信データから送信フレームのトラフィック流量を容易に求めることはできない。そのため、特許文献１に提案されている技術を上述したような無線通信システムに適用することは困難であった。
【００１６】
本発明の目的は、無線基地局装置からネットワーク制御装置への上りトラフィックの集中を緩和して良好にデータを伝送することのできる無線通信システムを提供することである。
【課題を解決するための手段】
【００１７】
上記目的を達成するために、本発明の無線基地局装置は、
無線通信システムにおいてネットワーク制御装置の制御配下に置かれる無線基地局装置であって、
受信した上り制御データから、上り受信データのフォーマットを示すフォーマット識別情報を取得する受信フォーマット識別情報取得部と、
前記受信フォーマット識別情報取得部で取得された前記フォーマット識別情報を用いて前記上り受信データを復号する受信データ復号処理部と、
前記受信データ復号処理部で復号された上り受信データをフレーム化するフレーム組み立て部と、
前記受信フォーマット識別情報取得部で取得された前記フォーマット識別情報を用いて前記受信データのフォーマットを判断し、該フォーマットから、前記フレーム組み立て部で生成されるフレームのトラフィック量を算出するトラフィック量算出部と、
前記フレーム組み立て部で生成されたフレームを保持するフレームバッファ部と、
前記フレームバッファ部に保持された前記フレームを前記ネットワーク制御装置に送信するフレーム送信制御部と、
前記トラフィック量算出部で算出されたトラフィック量を用いて、前記フレーム送信制御部の送信帯域を制御する帯域制御部と、を有している。
【００１８】
本発明によれば、無線基地局装置が、上り制御データから算出した上り受信データのトラフィック量に基づいてネットワーク制御装置への送信帯域を制御するので、無線基地局装置の数に関わらず実際のトラフィックに応じて適切に帯域を制御することができ、トラフィックが集中するネットワーク制御装置あるいは途中の装置にデータが過剰に滞留するのを防止し、かつ無線基地局装置のデータを良好にネットワーク制御装置に送ることができる。
【００１９】
また、復号パラメータを予め格納している復号パラメータ格納部を更に有しており、
前記受信フォーマット識別情報は、前記上り制御データのＴＦＣＩから算出されるＴＦＩ値であり、
前記復号パラメータ格納部は、トランスポートチャネル数と、前記ＴＦＩ値に対するトランスポートブロックサイズおよびトランスポートブロック数とを前記復号パラメータとして格納し、
前記トラフィック量算出部は、前記受信フォーマット識別情報取得部で取得されたＴＦＩ値と、前記復号パラメータ格納部に格納されている、前記トランスポートチャネル数と該ＴＦＩ値に対するトランスポートブロックサイズおよびトランスポートブロック数とから、前記フレーム組み立て部で生成されるフレームの単位時間当たりのトラフィック量を算出し、
前記帯域制御部は、前記トラフィック量算出部で算出された前記単位時間当たりのトラフィック量を用いて前記フレーム送信制御部の送信帯域を制御することとしてもよい。
【００２０】
また、前記帯域制御部は、前記フレームバッファ部におけるデータ保持の状況を、前記フレーム送信制御部の送信帯域の制御に更に用いることとしてもよい。
【００２１】
これによれば、無線基地局装置は算出したトラフィック量に加えてバッファの滞留状況をも帯域制御に用いるので、比較的トラフィックの多い状況においても適切に帯域を制御することができ、ネットワーク制御装置あるいは途中装置にデータが過剰に滞留するのを防止し、かつ無線基地局装置のデータを良好にネットワーク制御装置に送ることができる。
【００２２】
また、サービスベアラ毎にデータ導通の優先度が定められており、
前記フレームバッファ部は、フレーム組み立て部で生成されフレームを優先度毎に保持し、優先度毎のフレームを送信する順序を決めるための送信順序パラメータを生成して前記フレーム送信制御部に通知し、
前記フレーム送信制御部は、送信フレーム全体では、前記帯域制御部からの送信帯域制御の指示に従い、かつ、優先度単位では、前記フレームバッファ部から通知された送信順序パラメータに基づいて決定した各優先度の順序に従って、前記フレームバッファ部に格納されている各優先度のフレームを送信することにしてもよい。
【００２３】
これよれば、複数のサービスベアラのフレームをデータ導通の優先度毎に保持するとともに送信順序パラメータを生成し、送信順序パラメータに基づいて各優先度のフレームの送信を制御する。それ故に、フレームの送信制御においてデータ導通の優先度を考慮した制御を行なうことができ、優先度の高いデータの遅延や廃棄を低減することができる。
【００２４】
また、前記フレームバッファ部は、
前記フレーム組み立て部で組み立てられたフレームを優先度に応じて分配する優先度フレーム分配制御部と、
前記優先度フレーム分配制御部によって振り分けられた各優先度のフレームをそれぞれに格納する複数の優先度フレームバッファと、
各優先度の重み付けとフレームのトラフィック状態とを考慮したデータ導通の優先の度合いを示す優先制御値を前記送信順序パラメータとして生成する送信順序パラメータ生成部と、を有するとしてもよい。
【００２５】
また、前記送信順序パラメータ生成部は、各優先度の重み付けを示す重み係数と、各優先度の前記優先度フレームバッファ部に保持するデータ量の閾値と、各優先度の前記優先度フレームバッファ部に保持されているデータ量とから各優先度の前記優先制御値を算出することにしてもよい。
【００２６】
また、前記フレーム送信制御部は、各優先度の優先制御値から該優先制御値の各々の割合を算出し、各優先度のフレームが前記割合となるようにフレームを送信する順序を決定することにしてもよい。
【００２７】
また、前記ネットワーク制御装置から通知される、サービスベアラ毎の帯域値を格納するサービスベアラパラメータ格納部を更に有しており、
前記帯域制御部は、前記サービスベアラパラメータ格納部に格納されている前記サービスベアラ毎の帯域値から求まる最大帯域を越えない範囲で、前記フレーム送信制御部の送信帯域を制御することとしてもよい。
【００２８】
その場合、本発明の無線通信システムは、この無線基地局装置と、
前記無線基地局装置に前記サービスベアラ毎の帯域値を通知するネットワーク制御装置と、を有している。
【００２９】
これによれば、サービスベアラの帯域から算出した最大帯域を上限として送信帯域を制限するので、無線基地局装置の数が増えてもシステム構成に応じた帯域制御を行うことができ、無線基地局装置の数に依存せずネットワーク制御装置や途中装置にデータが過剰に滞留するのを防止することができる。
【発明の効果】
【００３０】
本発明によれば、トラフィックが集中するネットワーク制御装置あるいは途中の装置にデータが過剰に滞留するのを防止し、かつ無線基地局装置のデータを良好にネットワーク制御装置に送ることができる。
【発明を実施するための最良の形態】
【００３１】
本発明を実施するための形態について図面を参照して詳細に説明する。
【００３２】
図１は、本実施形態の無線通信システムの構成を示すブロック図である。図１を参照すると、無線通信システムは、複数の無線基地局装置１１〜１３とネットワーク制御装置１５を有している。複数の無線基地局装置１１〜１３とネットワーク制御装置１５とは一例として１００ＢＡＳＥのイーサネット伝送路で接続されており、イーサネット伝送路にはレイヤ２スイッチ１４が配置されている。
【００３３】
本発明では、無線基地局装置１１〜１３からネットワーク制御装置１５へ向かう上りトラヒックに関するものなので、以下、主に上り信号に関連する構成について説明する。
【００３４】
図２は、本実施形態の無線基地局装置の構成を示すブロック図である。図２を参照すると、無線基地局装置１１〜１３は、上り信号に関してベースバンド復号処理部２０を有している。ベースバンド復号処理部２０は、複数の受信データ復号処理部２１、複数の受信ＴＦＩ値算出部２２、復号パラメータ部２３、Ｅｔｈｅｒフレーム組み立て部２４、Ｅｔｈｅｒフレームバッファ部２５、およびＥｔｈｅｒフレーム送信制御部２６、Ｅｔｈｅｒフレームトラフィック量算出部２７、サービスベアラパラメータ部２８、および帯域制御部２９を有している。
【００３５】
受信データ復号部２１は、個別物理データチャネル（ＤＰＤＣＨ）の上り受信データを、受信ＴＦＩ値算出部２２から通知されたＴＦＩ値を用いて、トランスポートチャネル毎に復号する。
【００３６】
受信ＴＦＩ値算出部２２は、個別物理制御チャネル（ＤＰＣＣＨ）の上り受信制御データに含まれているＴＦＣＩ（Ｔｒａｎｓｐｏｒｔ−Ｆｏｒｍａｔ−Ｃｏｍｂｉｎａｔｉｏｎ  Ｉｎｄｉｃａｔｏｒ）からＴＦＩ値を算出し、受信データ復号処理部２１およびＥｔｈｅｒフレームトラフィック量算出部２７に通知する。
【００３７】
復号パラメータ部２３は、受信データ復号処理部２１と受信ＴＦＩ値算出部２２が処理に用いるパラメータを格納している。
【００３８】
Ｅｔｈｅｒフレーム組み立て部２４は、各受信データ復号処理部２１からの上りデータフレームをＥｔｈｅｒフレーム化する。
【００３９】
Ｅｔｈｅｒフレームバッファ部２５は、Ｅｔｈｅｒフレーム組み立て部２４で組み立てられたＥｔｈｅｒフレームを格納する。
【００４０】
Ｅｔｈｅｒフレーム送信制御部２６は、帯域制御部２９からの送信帯域制御の指示に従って、Ｅｔｈｅｒフレームバッファ部２５に格納されているＥｔｈｅｒフレームをレイヤ２スイッチ１４に送信する。
【００４１】
Ｅｔｈｅｒフレームトラフィック量算出部２７は、受信ＴＦＩ値算出部２２から通知されたＴＦＩ値と、復号パラメータ部２３に格納されている復号パラメータとを用いて、Ｅｔｈｅｒフレーム組み立て部２４から生成されるＥｔｈｅｒフレームのトラフィック量をサービスベアラ毎に算出する。
【００４２】
サービスベアラパラメータ部２８は、ネットワーク制御装置１５からベースバンド復号処理部２０に割り当てられたサービスベアラのパラメータを格納する。
【００４３】
帯域制御部２９は、Ｅｔｈｅｒフレームトラフィック量算出部２７で算出されたトラフィック量、Ｅｔｈｅｒフレームバッファ部２５に格納されているＥｔｈｅｒフレーム、およびサービスベアラパラメータ部２８に格納されているサービスベアラのパラメータに基づいてＥｔｈｅｒフレーム送信制御部２６の送信帯域を制御する。
【００４４】
図３は、本実施形態のネットワーク制御装置の構成を示すブロック図である。図３を参照すると、ネットワーク制御装置１５は、ネットワーク制御部３１、伝送路インタフェース機能部３２、およびサービスベアラ設定機能部３３を有している。
【００４５】
ネットワーク制御部３１は、各無線基地局装置１１〜１３の無線リソースや呼設定などの制御をする。
【００４６】
伝送路インタフェース機能部３２は、レイヤ２スイッチ１４とネットワーク制御部３１の間に接続されておりデータの転送を行う。例えば上述のネットワーク制御部３１が独立した装置として構成され、ＡＴＭやイーサネットなど様々な伝送路インタフェース仕様のものがあるとすれば、伝送路インタフェース機能部３２は、レイヤ２スイッチ１４側のイーサネットと、ネットワーク制御部３１側の伝送路インタフェースとの間でデータ転送を行なう。１００ＢＡＳＥでレイヤ２スイッチ１４に接続された無線基地局１１〜１３のベースバンド復号処理部２０は１００Ｍｂｐｓの物理的な帯域を有するが、ネットワーク制御部３１は仕様により１００Ｍｂｐｓの物理的な帯域を有するとは限らない。
【００４７】
サービスベアラ設定機能部３３は、無線基地局１１〜１３のベースバンド復号処理部２０にサービスベアラを割り当て、ベースバンド復号処理部２０のサービスベアラパラメータ部２８にサービスベアラのパラメータを通知する。サービスベアラのパラメータは、そのサービスベアラにより使用される帯域の値を含む。サービスベアラ設定機能部３３が割り当てるサービスベアラのトータルの帯域がネットワーク制御装置３１の伝送路インタフェースの物理帯域を越えることはない。
【００４８】
次に、本実施形態の無線基地局装置１１〜１３のベースバンド復号処理部２０によるトラフィック制御の動作について説明する。
【００４９】
図４は、ベースバンド復号処理部によるトラフィック制御の動作を示すフローチャートである。図４を参照すると、まず、各受信ＴＦＩ値算出部２２がＴＦＩ値を求めてＥｔｈｅｒフレームトラフィック量算出部２７に通知する（ステップ１０１）。
【００５０】
Ｅｔｈｅｒフレームトラフィック量算出部２７は、各受信ＴＦＩ値算出部２２から通知されたＴＦＩ値を用いてＥｔｈｅｒフレームのトラフィック量を算出し、帯域制御部２９に通知する（ステップ１０２）。
【００５１】
帯域制御部２９は、Ｅｔｈｅｒフレームトラフィック量算出部２７により算出されたＥｔｈｅｒフレームのトラフィック量に基づいて、Ｅｔｈｅｒフレーム送信制御部２６における送信Ｅｔｈｅｒフレームの帯域を制御する（ステップ１０３）。
【００５２】
図５は、受信データ復号処理部で復号されるデータのフォーマットを示す図である。これは、３ＧＰＰ  ２５．４２７に規定されているデータフォーマットである。このフォーマットのデータがＥｔｈｅｒフレーム組み立て部２４でＥｔｈｅｒフレーム化されることになる。
【００５３】
図５を参照すると、データフォーマット１１２において、ヘッダＣＲＣ（Ｃｙｃｌｉｃ  Ｒｅｄｕｎｄａｎｃｙ  Ｃｈｅｃｋ）、ＰＴ（Ｐａｙｌｏａｄ  Ｔｙｐｅ：ペイロードタイプ）、ＣＦＮ（Ｃｏｎｎｅｃｔｉｏｎ  Ｆｒａｍｅ  Ｎｕｍｂｅｒ：コネクションフレームナンバー）領域１１３と、ＱＥ（Ｑｕａｌｉｔｙ  Ｅｓｔｉｍａｔｅ：品質指標）領域１１６と、Ｓｐａｒｅ  Ｅｘｔｅｎｓｉｏｎ（予備）〜ペイロードＣＲＣ（Ｐａｙｌｏａｄ  ＣＲＣ）領域１１８はそれぞれ２バイト、１バイト、３バイトの合計６バイトの固定サイズである。
【００５４】
ＴＦＩ領域１１４は復号パラメータにより可変サイズであり、トランスポートブロック領域１１５とＣＲＣＩ（ＣＲＣ指標）領域１１７は復号パラメータおよび受信ＴＦＩ値算出部２２から通知される受信ＴＦＩ値毎に可変サイズとなる。
【００５５】
可変サイズとなる部分は、受信ＴＦＩ値算出部２２からの受信ＴＦＩ値と、復号パラメータ部２３のトランスポートチャネル数と受信ＴＦＩ値に対するトランスポートブロックサイズとトランスポートブロック数を用いて算出する。Ｅｔｈｅｒフレームトラフィック量算出部２７でベアラ毎に算出した単位時間当たりのＥｔｈｅｒフレームのトラフィック量は帯域制御部２９に通知される。
【００５６】
これらの動作について具体的なパラメータを用いて説明する。図６は、動作の説明に用いる具体的なパラメータおよび受信ＴＦＩ値の一例である。この例では図６に示すように、トランスポートチャネル数を２、トランスポートチャネル１の受信ＴＦＩ値のトランスポートブロックサイズを２３４ビット、トランスポートブロック数を１、トランスポートチャネル２の受信ＴＦＩ値のトランスポートブロックサイズを４５６ビット、トランスポートブロック数を２とする。
【００５７】
このパラメータを用いてＥｔｈｅｒフレームのトラフィック量を算出する。データフレームの固定サイズの部分は６バイトである。トランスポートチャネル数が２であるからＴＦＩ領域は２バイトである。
【００５８】
トランスポートチャネル１のトランスポートブロックサイズは、２３４ビットなので２３４÷８＝２９．２５を整数に切り上げて３０バイトである。トランスポートブロック数が１なので、トランスポートチャネル１の部分は３０×１＝３０バイトである。
【００５９】
トランスポートチャネル２のトランスポートブロックサイズは、４５６ビットなので、４５６÷８＝５７を整数に切り上げて５７バイトである。トランスポートブロック数が２なので、トランスポートチャネル２の部分は５７×２＝１１４バイトとなる。
【００６０】
これらトランスポートチャネル１の部分とトランスポートチャネル２の部分を合わせてトランスポートブロック領域１１５となる。
【００６１】
ＣＲＣＩは、トランスポートチャネル１とトランスポートチャネル２の合計のトランスポートブロック数が３個なので、３÷８＝０．３７５を整数に切り上げて１バイトである。
【００６２】
これら算出した結果をすべて加算すると、６バイト＋２バイト＋３０バイト＋１１４バイト＋１バイト＝１５３バイトとなる。
【００６３】
この１５３バイトのデータフレームはＵＤＰ（Ｕｓｅｒ  Ｄａｔａｇｒａｍ  Ｐｒｏｔｏｃｏｌ）で送信される。これをＥｔｈｅｒフレームにするために、宛先ＭＡＣアドレスが６バイト、送信元ＭＡＣアドレスが６バイト、タイプが３バイト、ＦＣＳ（Ｆｒａｍｅ  Ｃｈｅｃｋ  Ｓｅｑｕｅｎｃｅ）が４バイト、ＩＰヘッダが２４バイト、ＵＰＤヘッダが８バイトの合計４８バイトの固定領域が付加されるので、Ｅｔｈｅｒフレームは１５３バイト＋４８バイト＝２０１バイトとなる。
【００６４】
なお、データフレームが１４６８バイト（Ｅｔｈｅｒｎｅｔ最大データ１５００バイトからＩＰヘッダ２４バイトちＵＤＰヘッダ８バイトを引いた数）を超える場合には、１５００バイト以下にフラグメントを行う必要がある。そのため、フラグメントを行なう場合にはフラグメント数だけ４８バイトの固定領域が必要となり、フラグメント数×４８が付加されることとなる。例えば、３６００バイトのデータの場合は３フレームにフラグメントする必要があるので、３６００バイト＋４８バイト×３＝３７４４バイトとなる。
【００６５】
これを数式で表すと下記のようになる。
【００６６】
【数１】
2007235932.tif 000003
【００６７】
ＤＦＳｉｚｅ：受信データフレームサイズ
ＴＣＨ：トランスポートチャネル数
ＴＢＮｎ：トランスポートチャネルｎのトランスポートブロック数
ＴＢＳｎ：トランスポートチャネルｎのトランスポートブロックサイズ数
Ｅｔｈｅｒ＿Ｆｒａｍｅ＿Ｓｉｚｅ：Ｅｔｈｅｒｎｅｔフレームサイズ
Ｒ（Ａ）：数値Ａを最も近い整数に切り上げる。例えば、Ｒ（７．１２３）＝８となる。
【００６８】
このイーサーネットフレームサイズをベースバンド復号処理部２０に割り当てられているベアラ（音声、ＩＳＤＮ、パケット通信等）毎に算出することで、Ｅｔｈｅｒフレーム送信制御部２６に流れる単位時間当たりのＥｔｈｅｒフレームのトラフィック量を算出することができる。
【００６９】
次に、本実施形態における帯域制御部２９による制御の詳細について説明する。図７は、本実施形態における帯域制御部による制御動作を示すフローチャートである。帯域制御部２９は、Ｅｔｈｅｒフレーム送信制御部２６に対して帯域制御を行う。この帯域制御において、Ｅｔｈｅｒフレームの送信タイミング間隔を小さくすると帯域が大きくなり、Ｅｔｈｅｒフレームの送信タイミング間隔を大きくすると帯域が小さくなる。
【００７０】
初期状態では、Ｅｔｈｅｒフレーム送信制御部２６による送信タイミング間隔は所定の初期値に設定されている。その状態から、図７に示すように、帯域制御部２９は、Ｅｔｈｅｒフレームトラフィック算出部２７から単位時間当たりのトラフィック量が通知されるのを監視する（ステップ２０１）。
【００７１】
単位時間当たりのトラフィック量が通知されると、帯域制御部２９は、通知された単位時間当たりのトラフィック量から送信タイミング間隔を算出し、算出された送信タイミング間隔（算出送信間隔）が、設定されている送信タイミング間隔（設定送信間隔）より小さいか否か判定する（ステップ２０２）。
【００７２】
算出送信間隔が設定送信間隔より小さければ、帯域制御部２９は、Ｅｔｈｅｒフレーム送信制御部２６の送信タイミング間隔（設定送信間隔）を小さくするように指示する（ステップ２０３）。ただし、設定送信間隔は、Ｅｔｈｅｒフレーム送信制御部２６の送信帯域が、サービスベアラパラメータ部２８に格納されているサービスベアラのパラメータから求まる最大帯域を越えない範囲を下限として制御する。この制御により設定送信間隔が小さくなることで送信帯域は大きくなる。
【００７３】
一方、ステップ２０２において、算出送信間隔が設定送信間隔以上であれば、帯域制御部２９は、次に、Ｅｔｈｅｒフレームバッファ部２５に滞留しているＥｔｈｅｒフレームが所定の閾値以上あるか否か判定する（ステップ２０４）。
【００７４】
Ｅｔｈｅｒフレームバッファ部２５に滞留しているＥｔｈｅｒフレームが所定の閾値以上あれば、帯域制御部２９はステップ２０３に進み、設定送信間隔を小さくする。
【００７５】
一方、Ｅｔｈｅｒフレームバッファ部２５に滞留しているＥｔｈｅｒフレームが所定の閾値より小さければ、帯域制御部２９は、設定送信間隔を大きくするようにＥｔｈｅｒフレーム送信制御部２６に指示する（ステップ２０５）。この制御により設定送信間隔が大きくなることで送信帯域は小さくなる。
【００７６】
この帯域制御をベースバンド復号処理部２０の各々が行うことにより、トラフィックの集中するネットワーク制御装置１５やレイヤ２スイッチ１４にＥｔｈｅｒフレームが過剰に滞留するのを防ぐことができる。
【００７７】
図８は、本実施形態に示した方法でベースバンド復号処理部の各々が制御を行った場合のイメージを示す図である。ここでは５つのベースバンド復号処理部２０があり、それぞれのＥｔｈｅｒフレーム送信制御部Ａ〜Ｅがレイヤ２スイッチ１４にＥｔｈｅｒフレームを送信するものとする。
【００７８】
各ベースバンド復号処理部２０は１００ＢＡＳＥの伝送路インタフェースでレイヤ２スイッチ１４に接続されているので、物理的には１００Ｍｂｐｓの帯域でデータを送信することができる。しかし、帯域制御部２９では、ベースバンド復号処理部２０に割り当てられたサービスベアラのパラメータから算出される最大帯域を超えない範囲内で帯域制御が行なわれる。
【００７９】
Ｅｔｈｅｒフレーム送信制御部Ａ〜Ｅの各々の最大帯域をＡｍａｘ、Ｂｍａｘ、Ｃｍａｘ、Ｄｍａｘ、Ｅｍａｘとする。
【００８０】
各帯域制御部２９は、実際の送信帯域Ａｔ、Ｂｔ、Ｃｔ、Ｄｔ、Ｅｔを、Ｅｔｈｅｒフレームトラフィック量算出部２７で算出したトラフィック量と、Ｅｔｈｅｒフレームバッファ部２５に滞留しているＥｔｈｅｒフレームのデータ量とに応じ、かつ最大帯域Ａｍａｘ、Ｂｍａｘ、Ｃｍａｘ、Ｄｍａｘ、Ｅｍａｘを越えない範囲内で制御する。
【００８１】
以上説明したように、本実施形態によれば、各ベースバンド復号処理部２０が、制御データから得られるＴＦＩ値を用いて、割り当てられたサービスベアラのトラフィック量を求め、そのトラフィック量に基づいて送信帯域を制御するので、ベースバンド復号処理部２０の数に関わらず実際のトラフィックの状況に応じて適切に帯域を制御することができ、複数のベースバンド復号処理部２０からのトラフィックが集中するネットワーク制御装置１５やレイヤ２スイッチ１４にＥｔｈｅｒフレームが過剰に滞留するのを防止し、かつベースバンド復号処理部２０のデータを良好にネットワーク制御装置１５に送信することができる。
【００８２】
また、本実施形態によれば、各ベースバンド復号処理部２０において算出したトラフィック量に加えてバッファの滞留状況を帯域制御に用いるので、比較的トラフィックの多い状況においても適切に帯域を制御することができ、ネットワーク制御装置１５やレイヤ２スイッチ１４にＥｔｈｅｒフレームが過剰に滞留するのを防止し、かつベースバンド復号処理部２０のデータを良好にネットワーク制御装置１５に送信することができる。
【００８３】
また、本実施形態によれば、各ベースバンド復号処理部２０が割り当てられたサービスベアラの帯域（パラメータ）から算出した最大帯域を上限として送信帯域を制限するので、ベースバンド復号処理部２０の数が増えてもシステム構成に応じた帯域制御を行うことができ、ベースバンド復号処理部２０の数に依存せずネットワーク制御装置１５やレイヤ２スイッチ１４にＥｔｈｅｒフレームが過剰に滞留するのを防止することができる。
【００８４】
なお、本実施形態において設定送信間隔を大きくしたり、小さくしたりするとき、所定のステップ量で段階的に制御することとしてもよい。また、このステップ量をシステムに応じて設定可能なパラメータとしてもよい。これによれば、過敏な帯域変化を抑制し、トラフィック量の変化に良好に追従させることができるようになる。
【００８５】
また、設定送信間隔を大きくする側の制御だけを所定のステップ量で段階的におこなうこととしてもよい。逆に、設定送信間隔を小さくする側の制御だけを所定のステップ量で段階的におこなうこととしてもよい。
【００８６】
これによれば、トラフィック量の変化においてトラフィック量が増大する側と減少する側とで異なる特性を示す場合にも、それぞれに適切な制御で送信帯域をトラフィック量の変化に良好に追従させることができる。また、トラフィック量の増大する側と減少する側とで追従性能の要求が異なる場合にも、それぞれに適切な制御で送信帯域をトラフィック量の変化に良好に追従させることができる。
【００８７】
次に、本発明の他の実施形態について図面を参照して説明する。
【００８８】
この種の無線通信システムでは、音声データ、画像データ、通信データ、制御データなど各種のサービスベアラに応じてデータ導通の優先度が異なることがある。本実施形態では、Ｅｔｈｅｒフレームの送信制御においてデータ導通の優先度を考慮した制御を行なう。これによりトラフィック制御において優先度の高いデータの遅延や廃棄を低減することができる。
【００８９】
本実施形態の無線通信システムは図１に示したものと同様の構成であり、無線基地局装置１１〜１３の内部構成の一部が図２に示したものと異なる。図９は、他の実施形態による無線基地局装置における、図２に示した構成と異なる部分を示すブロック図である。
【００９０】
図９を参照すると、他の実施形態の無線基地局装置１１〜１３は、図２に示したＥｔｈｅｒフレームバッファ部２５の代わりに、Ｅｔｈｅｒフレームバッファ部１５０を有している。
【００９１】
本実施形態では、サービスベアラパラメータ部２８に格納されるサービスベアラのパラメータに、各優先度の送信順序制御における重み係数が含まれている。送信順序制御とはＥｔｈｅｒフレームを送信する順序を決定する処理である。優先度が高いほど送信順序制御において優先され、送信回数が多くなる。送信順序制御における重み係数はＥｔｈｅｒフレームバッファ部１５０に通知される。
【００９２】
また、本実施形態では、サービスベアラパラメータ部２８に格納されるサービスベアラのパラメータに、各優先度のＥｔｈｅｒフレームを保持するデータ量の閾値が含まれている。各優先度のＥｔｈｅｒフレームは、データ量が閾値以下であれば保持され、データ量が閾値を超えれば廃棄される。各優先度のＥｔｈｅｒフレームを保持するデータ量の閾値はＥｔｈｅｒフレームバッファ部１５０に通知される。
【００９３】
Ｅｔｈｅｒフレームバッファ部１５０は、Ｅｔｈｅｒフレーム組み立て部２４で組み立てられたＥｔｈｅｒフレームを優先度毎に保持し、各優先度に応じてＥｔｈｅｒフレームを送信する順序を決めるための送信順序パラメータを生成してＥｔｈｅｒフレーム送信制御部２６に通知する。送信順序パラメータの生成において、Ｅｔｈｅｒフレームバッファ部１５０は、送信順序制御における重み係数と、Ｅｔｈｅｒフレームを保持するデータ量の閾値とを用いる。
【００９４】
Ｅｔｈｅｒフレーム送信制御部２６は、帯域制御部２９からの送信帯域制御の指示に従い、かつＥｔｈｅｒフレームバッファ部１５０から通知された送信順序パラメータに基づいて決定した各優先度の順序に従って、Ｅｔｈｅｒフレームバッファ部２５に格納されている各優先度のＥｔｈｅｒフレームをレイヤ２スイッチ１４に送信する。
【００９５】
再び、図９を参照すると、Ｅｔｈｅｒフレームバッファ部１５０は、優先度［１］Ｅｔｈｅｒフレームバッファ１５１−ａ〜優先度［ｎ］Ｅｔｈｅｒフレームバッファ１５１−ｋ、送信順序パラメータ生成部１５３、および優先度Ｅｔｈｅｒフレーム分配制御部１５５を有している。
【００９６】
優先度Ｅｔｈｅｒフレーム分配制御部１５５は、Ｅｔｈｅｒフレーム組み立て部２４で組み立てられたＥｔｈｅｒフレームを優先度に応じて分配する。
【００９７】
優先度毎に設けられた優先度［１］Ｅｔｈｅｒフレームバッファ１５１−ａ〜優先度［ｎ］Ｅｔｈｅｒフレームバッファ１５１−ｋは、優先度Ｅｔｈｅｒフレーム分配制御部１５５によって振り分けられた各優先度のＥｔｈｅｒフレームを格納する。また、優先度［１］Ｅｔｈｅｒフレームバッファ１５１−ａ〜優先度［ｎ］Ｅｔｈｅｒフレームバッファ１５１−ｋは、格納しているＥｔｈｅｒフレームのデータ量Ｓａ［１］〜Ｓａ［ｎ］をそれぞれ送信順序パラメータ生成部１５３に通知する。
【００９８】
送信順序パラメータ生成部１５３は、サービスベアラパラメータ部２８から通知された送信順序制御における重み係数Ｐ［１］〜Ｐ［ｎ］、およびＥｔｈｅｒフレームを保持するデータ量の閾値Ｓｂ［１］〜Ｓｂ［ｎ］と、優先度［１］Ｅｔｈｅｒフレームバッファ１５１−ａ〜優先度［ｎ］Ｅｔｈｅｒフレームバッファ１５１−ｋから通知された格納Ｅｔｈｅｒフレームのデータ量Ｓａ［１］〜Ｓａ［ｎ］とを用いて、各優先度についてのＥｔｈｅｒフレームを送信する順序を決定するための送信順序パラメータを生成する。
【００９９】
送信順序パラメータには、各優先度の重み係数とＥｔｈｅｒフレームのトラフィック状態とを考慮したデータ導通の優先の度合いを示す優先制御値Ｓｔ［１］〜Ｓｔ［ｎ］が含まれている。Ｅｔｈｅｒフレーム送信制御部２６は、各優先度の優先制御値Ｓｔ［１］〜Ｓｔ［ｎ］から、Ｅｔｈｅｒフレームを送信する各優先度についての割合を算出する。更に、Ｅｔｈｅｒフレーム送信制御部２６は、各優先度のＥｔｈｅｒフレームがそれぞれ算出した割合となるように、Ｅｔｈｅｒフレームを送信する順序を決定し、優先度［１］Ｅｔｈｅｒフレームバッファ１５１−ａ〜優先度［ｎ］Ｅｔｈｅｒフレームバッファ１５１−ｋに格納されているＥｔｈｅｒフレームを決定した順序でレイヤ２スイッチ１４に送信する。
【０１００】
次に、送信順序パラメータ生成部１５３が送信順序パラメータを生成する処理と、Ｅｔｈｅｒフレーム送信制御部２６が送信順序パラメータに基づいて各優先度のＥｔｈｅｒフレームを送信する処理とについての具体例を説明する。ここでは送信順序制御における重み係数Ｐ［ｋ］（ｋ＝１，２，・・・，ｎ）は値が大きい程Ｅｔｈｅｒフレームの送信制御で優先されるものとする。データ導通において高い優先度を与えたいサービスベアラのＥｔｈｅｒフレームには重み係数Ｐ［ｋ］として大きな値を付与すればよい。
【０１０１】
送信順序パラメータ生成部１５３は、優先制御値Ｓｔ［ｋ］の算出において、重み係数Ｐ［ｋ］が大きいほど優先制御値Ｓｔ［ｋ］が大きくなり、かつデータ量の閾値Ｓｂ［ｋ］に対する実際に格納しているデータ量Ｓａ［ｋ］の割合が高いほど優先制御値Ｓｔ［ｋ］が大きくなるような演算を行なう。この演算を数式で表すと下記のようになる。
【０１０２】
【数２】
2007235932.tif 000004
【０１０３】
Ｅｔｈｅｒフレーム送信制御部２６は、送信順序パラメータ生成部１５３によって生成された各優先度［ｋ］（ｋ＝１，２，・・・，ｎ）についての優先制御値Ｓｔ［ｋ］から各優先制御値Ｓｔ［ｋ］の割合を算出する。ここで算出された各優先制御値Ｓｔ［ｋ］の割合がＥｔｈｅｒフレームを送信する割合となる。これを数式で表すと下記のようになる。
【０１０４】
【数３】
2007235932.tif 000005
【０１０５】
Ｅｔｈｅｒフレーム送信制御部２６は、各優先度［ｋ］のＥｔｈｅｒフレームが算出した割合となるように、各優先度［ｋ］Ｅｔｈｅｒフレームバッファ１５１−ａ〜１５１−ｋに格納されているデータを送信する。
【０１０６】
以下に具体的な数値例を用いて、データ導通の優先制御値の割合を算出する方法について説明する。
【０１０７】
ここでは優先度の分配数ｎ＝４とする。
【０１０８】
サービスベアラパラメータとして、優先度［１］の重み係数Ｐ［１］が６、優先度［２］の重み係数Ｐ［２］が３、優先度［３］の重み係数Ｐ［３］が２、優先度［４］の重み係数Ｐ［４］が１であるとする。
【０１０９】
また、優先度［１］のデータ量の閾値Ｓｂ［１］が１（キロバイト）、優先度［２］のデータ量の閾値Ｓｂ［２］が４（ｋＢｙｔｅ）、優先度［３］のデータ量の閾値Ｓｂ［３］が２（ｋＢｙｔｅ）、優先度［４］のデータ量の閾値Ｓｂ［４］が４（ｋＢｙｔｅ）であるとする。
【０１１０】
そして現時点のトラフィック状態は、優先度［１］Ｅｔｈｅｒフレームバッファ１５１に保持されているデータ量Ｓａ［１］が２（キロバイト）、優先度［２］Ｅｔｈｅｒフレームバッファ１５１に保持されているデータ量Ｓａ［２］が８（キロバイト）、優先度［３］Ｅｔｈｅｒフレームバッファ１５１に保持されているデータ量Ｓａ［３］が４（キロバイト）、優先度［４］Ｅｔｈｅｒフレームバッファ１５１に保持されているデータ量Ｓａ［４］が４（キロバイト）であるとする。
【０１１１】
このような状態において、各優先度の優先制御値Ｓｔ［ｋ］（ｋ＝１，２，３，４）は以下の通りとなる。
【０１１２】
【数４】
2007235932.tif 000006
【０１１３】
したがって、Ｅｔｈｅｒフレーム送信制御部２６は、優先度［１］〜［４］のＥｔｈｅｒフレームを１２対６対４対１の割合で送信する。
【０１１４】
以上説明したように、本実施形態によれば、Ｅｔｈｅｒフレームバッファ１５１−ａ〜１５１−ｋは、複数のサービスベアラのＥｔｈｅｒフレームをデータ導通の優先度毎に保持するとともにサービスベアラパラメータとトラフィック状態とから送信順序パラメータを生成する。Ｅｔｈｅｒフレーム送信制御部２６は送信順序パラメータに基づいて各優先度のＥｔｈｅｒフレームの送信を制御する。それ故に、Ｅｔｈｅｒフレームの送信制御においてデータ導通の優先度を考慮した制御を行なうことができる。その結果、トラフィック制御において優先度の高いデータの遅延や廃棄を低減することができる。
【０１１５】
具体的には、送信順序パラメータの生成において、重み係数Ｐ［ｋ］が大きいほど優先制御値Ｓｔ［ｋ］が大きくなるような演算をするので、重み係数Ｐ［ｋ］に大きな値を与えたサービスベアラのＥｔｈｅｒフレームが送信制御で廃棄され難くすることができる。また、送信順序パラメータの生成において、データ量の閾値Ｓｂ［ｋ］に対する実際に格納しているデータ量Ｓａ［ｋ］の割合が高いほど優先制御値Ｓｔ［ｋ］が大きくなるような演算を行なう。それ故に、データ量の閾値Ｓｂ［ｋ］に小さな値を与えたサービスベアラのＥｔｈｅｒフレームを送信制御で遅延し難くすることができる。
【図面の簡単な説明】
【０１１６】
【図１】本実施形態の無線通信システムの構成を示すブロック図である。
【図２】本実施形態の無線基地局装置の構成を示すブロック図である。
【図３】本実施形態のネットワーク制御装置の構成を示すブロック図である。
【図４】ベースバンド復号処理部によるトラフィック制御の動作を示すフローチャートである。
【図５】受信データ復号処理部で復号されるデータのフォーマットを示す図である。
【図６】動作の説明に用いる具体的なパラメータおよび受信ＴＦＩ値の一例である。
【図７】本実施形態における帯域制御部による制御動作を示すフローチャートである。
【図８】本実施形態に示した方法でベースバンド復号処理部の各々が制御を行った場合のイメージを示す図である。
【図９】他の実施形態による無線基地局装置における、図２に示した構成と異なる部分を示すブロック図である。
【図１０】従来の無線基地局装置の構成を示すブロック図である。
【符号の説明】
【０１１７】
１１〜１３    無線基地局装置
１４    レイヤ２スイッチ
１５    ネットワーク制御装置
２０    ベースバンド復号処理部
２１    受信データ復号処理部
２２    受信ＴＦＩ値算出部
２３    復号パラメータ部
２４    Ｅｔｈｅｒフレーム組み立て部
２５    Ｅｔｈｅｒフレームバッファ部
２６    Ｅｔｈｅｒフレーム送信制御部
２７    Ｅｔｈｅｒフレームトラフィック量算出部
２８    サービスベアラパラメータ部
２９    帯域制御部
３１    ネットワーク制御部
３２    伝送路インタフェース機能部
３３    サービスベアラ設定機能部
１０１〜１０３、２０１〜２０５    ステップ
１１２〜１１８  領域
１５０    Ｅｔｈｅｒフレームバッファ部
１５１−ａ〜１５１−ｋ    優先度［１］Ｅｔｈｅｒフレームバッファ〜優先度［ｎ］Ｅｔｈｅｒフレームバッファ
１５３    送信順序パラメータ生成部
１５５    優先度Ｅｔｈｅｒフレーム分配制御部
【図１】
2007235932.tif 000007
【図２】
2007235932.tif 000008
【図３】
2007235932.tif 000009
【図４】
2007235932.tif 000010
【図５】
2007235932.tif 000011
【図６】
2007235932.tif 000012
【図７】
2007235932.tif 000013
【図８】
2007235932.tif 000014
【図９】
2007235932.tif 000015
【図１０】
2007235932.tif 000016